(57)【要約】【課題】コントラストが低いアナログ映像信号をデジタル映像信号に変換するサンプリング処理においても、良好なサンプリング処理を可能とする。【解決手段】表示装置であって、ＡＤ変換手段と表示手段とを備え、位相を異ならせた複数のサンプリングクロックをＡＤ変換手段に供給し、複数のサンプリングクロックのそれぞれについてＡＤ変換手段が生成した現フレームのデジタル映像信号と、該現フレームより前のフレームのデジタル映像信号とのフレーム間差分値を算出し、算出されたフレーム間差分値のうち、最小値となるフレーム間差分値に対応するサンプリングクロックの位相を決定し、表示手段が、該決定された位相に従うサンプリングクロックを用いて生成されたデジタル映像信号を表示する。【選択図】図１
2013217983.tif 000002
【特許請求の範囲】
【請求項１】
現フレームのアナログ映像信号をサンプリングクロックを用いてデジタル変換し、デジタル映像信号を生成するＡＤ変換手段と、
前記デジタル映像信号を表示する表示手段と
を備える表示装置であって、
位相を異ならせた複数のサンプリングクロックを前記ＡＤ変換手段に供給するサンプリングクロック生成手段と、
前記複数のサンプリングクロックのそれぞれについて前記ＡＤ変換手段が生成した前記現フレームのデジタル映像信号と、該現フレームより前のフレームのデジタル映像信号とのフレーム間差分値を算出するフレーム間差分値算出手段と、
算出された前記フレーム間差分値のうち、最小値となるフレーム間差分値に対応する前記サンプリングクロックの位相を決定する決定手段と
を更に備え、
前記表示手段は、前記決定手段が決定した位相に従うサンプリングクロックを用いて生成されたデジタル映像信号を表示することを特徴とする表示装置。
【請求項２】
前記フレーム間差分値算出手段は、前記フレーム間差分値を、フレームの所定領域またはフレーム全体について算出することを特徴とする請求項１に記載の表示装置。
【請求項３】
前記現フレームより前のフレームのデジタル映像信号は、当該前のフレームについて前記決定手段が決定した位相に従うサンプリングクロックを用いて前記ＡＤ変換手段が該前のフレームのアナログ映像信号をデジタル変換して得られたデジタル映像信号であることを特徴とする請求項１または２に記載の表示装置。
【請求項４】
前記複数のサンプリングクロックのそれぞれについて前記ＡＤ変換手段が生成した前記現フレームのデジタル映像信号について、隣接画素間の差分値を和算して和算値を算出する隣接画素間差分値算出手段を更に備え、
前記決定手段は、
前記複数のサンプリングクロックのそれぞれに対応する前記現フレームのデジタル映像信号について算出された和算値の最大値と最小値との差が閾値を超える場合、決定すべき前記位相を、該和算値が最大値となるサンプリングクロックの位相に決定し、
前記算出された和算値の最大値と最小値との差が閾値を超えない場合、決定すべき前記位相を、前記算出された前記フレーム間差分値のうち、最小値となるフレーム間差分値に対応する前記サンプリングクロックの位相に決定する
ことを特徴とする請求項１乃至３のいずれか１項に記載の表示装置。
【請求項５】
前記複数のサンプリングクロックのそれぞれについて前記ＡＤ変換手段が生成した前記現フレームのデジタル映像信号について、隣接画素間の差分値を和算して和算値を算出する隣接画素間差分値算出手段を更に備え、
前記決定手段は、
前記複数のサンプリングクロックのそれぞれに対応する前記現フレームのデジタル映像信号について算出された和算値の分散が分散閾値を超える場合、決定すべき前記位相を、該和算値が最大値となるサンプリングクロックの位相に決定し、
前記算出された和算値の分散が分散閾値を超えない場合、決定すべき前記位相を、前記算出された前記フレーム間差分値のうち、最小値となるフレーム間差分値に対応する前記サンプリングクロックの位相に決定する
ことを特徴とする請求項１乃至３のいずれか１項に記載の表示装置。
【請求項６】
前記決定手段は、前記最小値となるフレーム間差分値に対応する前記サンプリングクロックの位相の代わりに、最大値となるフレーム間差分値に対応する前記サンプリングクロックの位相から半周期ずれた位相を、決定すべき前記位相とすることを特徴とする請求項１乃至５のいずれか１項に記載の表示装置。
【請求項７】
現フレームのアナログ映像信号をサンプリングクロックを用いてデジタル変換し、デジタル映像信号を生成するＡＤ変換手段と、
前記デジタル映像信号を表示する表示手段と
を備える表示装置の制御方法であって、
サンプリングクロック生成手段が、位相を異ならせた複数のサンプリングクロックを前記ＡＤ変換手段に供給するサンプリングクロック生成工程と、
フレーム間差分値算出手段が、前記複数のサンプリングクロックのそれぞれについて前記ＡＤ変換手段が生成した前記現フレームのデジタル映像信号と、該現フレームより前のフレームのデジタル映像信号とのフレーム間差分値を算出するフレーム間差分値算出工程と、
決定手段が、算出された前記フレーム間差分値のうち、最小値となるフレーム間差分値に対応する前記サンプリングクロックの位相を決定する決定工程と
を備え、
前記表示手段は、前記決定工程において決定された位相に従うサンプリングクロックを用いて生成されたデジタル映像信号を表示することを特徴とする表示装置の制御方法。
【請求項８】
現フレームのアナログ映像信号をサンプリングクロックを用いてデジタル変換し、デジタル映像信号を生成するＡＤ変換手段と、前記デジタル映像信号を表示する表示手段とを備える表示装置を、請求項１乃至３のいずれか１項に記載のサンプリングクロック生成手段と、フレーム間差分値算出手段と、決定手段とを備える表示装置として動作させるためのプログラム。
【発明の詳細な説明】
【技術分野】
【０００１】
本発明は、表示装置及びその制御方法、コンピュータプログラムに関する。
【背景技術】
【０００２】
コンピュータで作成される文書やグラフィックのアナログ映像信号を、表示装置で表示する場合、映像信号のサンプリングクロックや有効映像領域を、コンピュータと表示装置とで一致させることが重要となる。表示装置では水平及び垂直同期信号の周波数や極性等の属性と、サンプリングクロックや有効映像領域を関連付けた信号フォーマットテーブルを保有しており、コンピュータから出力される同期信号の属性を読み取ることで、信号フォーマットの判別が可能となる。表示装置において、コンピュータからのアナログ映像信号をデジタル化する際に必要となるサンプリングクロックは、通常は水平同期信号を逓倍することによって生成される。
【０００３】
このサンプリングクロックの周波数は、先に述べた同期信号の情報から適正値を知ることが可能となる場合が多いが、サンプリングクロックの位相に関してはコンピュータ毎に適正値が異なってしまう。これは、様々な要因によりコンピュータから伝送される水平同期信号と映像信号には、コンピュータ毎に異なる時間差が生じているためである。また、コンピュータから出力される信号フォーマットは多岐に渡っているため、表示装置の信号フォーマットテーブルでそれらに完全に対処することは極めて困難であり、表示装置でサンプリング周波数の適正値が判らない場合も発生する。そのため、アナログ映像信号を良好にデジタル化するためには、表示装置側で上記のサンプリング周波数やサンプリング位相を最適化する機能が必要となり、それを自動的に実現するサンプリングクロック自動調整機能が発展してきた。
【０００４】
例えば、特許文献１には、サンプリングクロック自動調整機能として以下の技術が開示されている。1フレームの入力映像信号において、隣接する1組または2組以上の画素間における映像信号値の差の積算値を取得する処理を各位相に対して実行する。映像信号値の差の積算値は良好なサンプリング位相では大きく、良好でないサンプリング位相では小さくなるため、取得された映像信号値の差の積算値が最大となるようにサンプリング周波数とサンプリング位相を調整する。
【０００５】
特許文献２では、サンプリングクロック自動調整機能として以下の技術が開示されている。基本的には特許文献１と同じであるが、積算値を取得する処理が映像信号値の差の２乗を積算するという点で異なる。
【０００６】
例えば図５（ａ）のようなアナログ映像信号をサンプリングした場合を例に示す。なお、図５（ａ）〜（ｃ）の横軸は画像の水平位置を示し、縦軸は画像の輝度値を示している［図５（ａ）はアナログ値、図５（ｂ）と図５（ｃ）はデジタル値］。サンプリング位置は、黒色矢印と白色矢印である。図５（ｂ）は黒色矢印でサンプリングした結果を示しており、図中の矩形がサンプリングした結果である。また同様に図５（ｃ）は白色矢印でサンプリングした結果を示しており、図中の矩形がサンプリングした結果である。図５（ｂ）と図（ｃ）を比較すると、図５（ｂ）の黒色矢印のサンプリング位置（サンプリング位相）でサンプリングした結果の方が隣接する輝度値の差が大きいことが分かる。これは、特許文献１及び特許文献２で開示されているように、図５（ｂ）でのサンプリング位置（サンプリング位相）が良好であることを示している。
【先行技術文献】
【特許文献】
【０００７】
【特許文献１】特開平１１−１７７８４７号公報
【特許文献２】特開２０００−０２０００８号公報
【発明の概要】
【発明が解決しようとする課題】
【０００８】
しかしながら、上述の特許文献に開示された従来技術では、ＣＡＤやコンピュータグラフィックなど映像信号のコントラストが元々高い場合は良好にサンプリングクロックやサンプリング位相を制御できるが、コントラストが低い自然画においては良好にサンプリングクロックやサンプリング位相を制御できないことがある。例えば、図６（ａ）で示すアナログ映像信号を黒色矢印と白色矢印でサンプリングした場合、図６（ｂ）と図６（ｃ）でそれぞれの隣接画素の差を比較しても明確な差を見出すことは難しい。
【０００９】
そこで、本発明は、コントラストが低いアナログ映像信号をデジタル映像信号に変換するサンプリング処理においても、良好なサンプリング処理を可能とする。
【課題を解決するための手段】
【００１０】
上記課題を解決するための本発明は、表示装置であって、
現フレームのアナログ映像信号をサンプリングクロックを用いてデジタル変換し、デジタル映像信号を生成するＡＤ変換手段と、
前記デジタル映像信号を表示する表示手段とを備え、
位相を異ならせた複数のサンプリングクロックを前記ＡＤ変換手段に供給するサンプリングクロック生成手段と、
前記複数のサンプリングクロックのそれぞれについて前記ＡＤ変換手段が生成した前記現フレームのデジタル映像信号と、該現フレームより前のフレームのデジタル映像信号とのフレーム間差分値を算出するフレーム間差分値算出手段と、
算出された前記フレーム間差分値のうち、最小値となるフレーム間差分値に対応する前記サンプリングクロックの位相を決定する決定手段と
を更に備え、
前記表示手段は、前記決定手段が決定した位相に従うサンプリングクロックを用いて生成されたデジタル映像信号を表示することを特徴とする。
【発明の効果】
【００１１】
本発明によれば、コントラストが低いアナログ映像信号をデジタル映像信号に変換するサンプリング処理においても、良好にサンプリング処理を行うことができる。
【図面の簡単な説明】
【００１２】
【図１】実施形態１に対応する表示装置の構成の一例を示す図である。
【図２】実施形態１に対応する処理の一例を示すフローチャートである。
【図３】実施形態２に対応する表示装置の構成の一例を示す図である。
【図４】実施形態２に対応する処理の一例を示すフローチャートである。
【図５】アナログ映像信号をサンプリングした場合の一例を説明するための図である。
【図６】アナログ映像信号をサンプリングした場合の他の一例を説明するための図である。
【発明を実施するための形態】
【００１３】
以下に、本発明の実施形態を、添付の図面に基づいて詳細に説明する。図１は、本発明の実施形態にかかわる画像表示装置である。
【００１４】
［実施形態１］
以下、図１、図２を参照して、本発明の実施形態１に対応する表示装置について説明する。図１には、実施形態１に対応する表示装置１００の構成を示す。本実施形態では、表示装置１００を液晶プロジェクタ１００として説明する。なお、表示装置１００の実施形態は、液晶プロジェクタに限定されるものではなく、液晶ディスプレイであってもよい。また、より一般的には、入力されたアナログ信号をデジタル信号に変換して表示する画像表示装置であればどんな装置であってもよい。
【００１５】
液晶プロジェクタ１００は、図１に示すとおり、アナログ映像信号入力インタフェース（ＩＦ）１０１、同期信号検出部１０２、ＡＤ変換部１０３、サンプリングクロック生成部１０４、ＲＡＭ１０５、フレーム間差分値算出部１０６、画像処理部１０７、パネル制御ドライバ１０９、表示パネル１０８、ランプ制御部１１１、光源ランプ１１０、ＣＰＵ１１２を有することができる。
【００１６】
次に液晶プロジェクタ１００の動作について説明する。アナログ映像信号入力ＩＦ１０１は液晶プロジェクタ１００に表示するアナログ映像信号を入力するインタフェース（ＩＦ）であり、例えばＤ−Ｓｕｂ１５ピン端子である。同期信号検出部１０２はアナログ映像信号入力ＩＦ１０１に入力された映像信号の同期信号情報を検出する処理部であり、水平同期信号（Ｈｓｙｎｃ）や垂直同期信号（Ｖｓｙｎｃ）のタイミング情報（周波数情報）を検出する。同期信号検出部１０２は、検出したタイミング情報をＣＰＵ１１２に送信する。
【００１７】
ＡＤ変換部１０３はアナログ映像信号をデジタル変換してデジタル映像信号を生成する。サンプリングクロック生成部１０４はＡＤ変換部１０３へサンプリングクロックを供給する。サンプリングクロック生成部１０４はＣＰＵ１１２からアナログ映像信号の水平総ドット数、位相値の通知を受け、通知された位相値に従って基準サンプリングクロックの位相をずらしてＡＤ変換部１０３にクロック信号を供給する。なお、サンプリングクロックは、通常は水平同期信号を逓倍することで生成できる。ここで逓倍数は水平総ドット数としている。ＲＡＭ１０５はＡＤ変換部１０３から出力されたデジタル映像信号を保持する。また、後述するフレーム間差分値算出部１０６にて前フレームのデジタル映像信号と現フレームのデジタル映像信号との差分を算出するために前フレームのデジタル映像信号も保持する。フレーム間差分値算出部１０６は、現フレームのアナログ映像信号をＡＤ変換部１０３でＡＤ変換して得られたデジタル映像信号と、ＲＡＭ１０５が保持する前フレームのデジタル映像信号とのフレーム間差分を算出する処理部である。フレーム間差分の算出方法は公知であるので、ここでの詳細な説明は省略する。
【００１８】
画像処理部１０７は、入力されたデジタル映像信号についてスケーリング処理やコントラスト制御、台形補正などの画像処理を行い、処理結果のデジタル映像信号をパネル制御ドライバ１０９へ出力する。これらの制御はＣＰＵ１１２からの制御信号に応じて行う。表示パネル１０８は２次元に配置された画像素子で構成される。本実施形態では、表示パネル１０８は液晶パネルとして構成される。パネル制御ドライバ１０９は画像処理部１０７から受信したデジタル映像信号に応じて表示パネル１０８を制御する。光源ランプ１１０は高圧水銀ランプやキセノンランプなどであり、表示パネル１０８へ投光する。ランプ制御部１１１は光源ランプ１１０を制御する。
【００１９】
ＣＰＵ１１２は内部に駆動ファームウェアを保存する内部ＲＯＭと作業用メモリとを有する。ＣＰＵ１１２は画像処理部１０７、パネル制御ドライバ１０９、ランプ制御部１１１、アナログ映像信号からデジタル映像信号に変換するＡＤ変換の制御などを含め、液晶プロジェクタ１００の全体の動作を制御する。なお、ＡＤ変換については後述する制御フローにおいて詳細を説明する。
【００２０】
次に図２を参照して本実施形態におけるＣＰＵ１１２の制御フローを説明する。当該制御フローは、ＣＰＵ１１２の内部の駆動ファームウェアを実行することにより実現される。まず、アナログ映像信号をデジタル映像信号に変換するＡＤ変換のために、ＣＰＵ１１２は、Ｓ２０１において同期信号検出部１０２から周波数情報を受信する。続くＳ２０２では、受信した周波数情報に基づき、内部ＲＯＭに保存している映像信号テーブルを参照し、入力アナログ映像信号に対応する映像信号フォーマットを検出する。なお、この映像信号テーブルは周波数情報と水平総ドット数が紐づけられている映像信号フォーマットのリストデータである。続くＳ２０３でＣＰＵ１１２は、検出した映像信号フォーマットから水平総ドット数を求め、サンプリングクロック生成部１０４に水平総ドット数を設定する。
【００２１】
次にＳ２０４にてＣＰＵ１１２は、サンプリングクロック位相値の初期値１をサンプリングクロック生成部１０４に設定する。なお、本実施形態ではサンプリングクロックの設定可能な位相値を１から３２とした。なお、位相の分割数は３２に限定されるものではなく、３２より細かくても粗くてもよい。
【００２２】
サンプリングクロック生成部１０４がＣＰＵ１１２から設定された位相値を基に、基準信号の位相をずらしてサンプリングクロックを生成すると、ＡＤ変換部１０３はＳ２０５で設定されたサンプリングクロックに従いアナログ映像信号をデジタル映像信号へＡＤ変換する。続くＳ２０６でＲＡＭ１０５は、ＡＤ変換部１０３から得られたデジタル映像信号を保持する。続くＳ２０７では、フレーム間差分値算出部１０６がＲＡＭ１０５に保持されている前フレームのデジタル映像信号とＡＤ変換部１０３から出力された現フレームのデジタル映像信号との間でフレーム間差分を算出する。続くＳ２０８でＣＰＵ１１２は、フレーム間差分値算出部１０６が算出したフレーム間差分値が、位相値の初期値から現在の位相値までで計算された複数のフレーム間差分値のうち最小値に相当するかどうかを判定する。ＣＰＵ１１２は、内部の作業メモリ内に計算されたフレーム間差分値を保持しておき、より小さい値が算出された場合に、当該算出値により保持しているフレーム間差分値を更新する。もしフレーム間差分値が最小値と判定された場合（Ｓ２０８で「ＹＥＳ」）、ＣＰＵ１１２はＳ２０９において、Ｓ２０４で設定したサンプリングクロックの位相値をＲＡＭ１０５へ保存する。以上のＳ２０４からＳ２０９までの処理は、位相値１から３２まで、画面がリフレッシュされる毎（垂直同期信号が１つ入力される毎）に行われる。
【００２３】
上記ループ処理が終了した後、Ｓ２１０でＣＰＵ１１２は、ＲＡＭ１０５に一時退避されているサンプリングクロック位相値を最適クロック位相値に決定し、再びサンプリングクロック生成部１０４に設定する。サンプリングクロック生成部１０４は、設定された最適クロック位相値に従って再度サンプリングクロックをＡＤ変換部１０３に供給する。ＡＤ変換部１０３は、最適クロック位相値に従うサンプリングクロックにより、入力アナログ映像信号をデジタル映像信号に変換して画像処理部１０７へ出力する。また、当該デジタル映像信号はＲＡＭ１０５にも出力され、フレーム間差分値算出部１０６が次のフレームのフレーム間差分を算出するために保持される。
【００２４】
以上の本実施形態では、フレーム間差分値を算出する場合、各画素のフレーム間差分値をフレーム全体で和算したり、予め定めた所定領域内だけで各画素のフレーム間差分を和算した結果を、フレーム間差分値とすることができる。なお、所定領域は、フレーム内の任意の領域であって、例えばフレームの中心を含む所定サイズの領域とすることができる。さらに、本実施形態では、フレーム間差分値を２フレーム間で算出する場合を説明したが、３以上のフレーム数でのフレーム間差分値を算出しても良い。例えば、３フレームでの比較を行う場合、現フレームと比較される２つのフレームは、現フレームの直前の２フレームとすることができる。その場合、例えば、現フレームをフレーム０、現フレームの直前の２フレームを時間的に遅いものからそれぞれフレームＢ、フレームＡとした場合、フレームＢとフレームＡの差分値の領域合計と、フレームＡとフレーム０の差分値の領域合計を時間的に和算した結果を評価値とする。この評価値を位相を１から３２まで振ったもので最小値を求める。
【００２５】
さらに、本実施形態では、フレーム間差分値が最小となったサンプリングクロック位相値を良好な位相値としたが、フレーム間差分値が最大となった位相値から半周期ずれた位相値を良好なサンプリングクロック位相値としても良い。
【００２６】
以上、説明したように本実施形態では、アナログ映像信号をサンプリングした後のデジタル映像信号のぶれ量をフレーム間差分値として算出し、その値をサンプリングクロックの最適位相値の設定に使用する。これにより、特に自然画などＣＡＤやコンピュータグラフィックといった映像信号と比較して隣接画素のコントラストが低い場合の映像データの場合においてもＡＤ変換を良好に行うことが可能となる。
【００２７】
［実施形態２］
以下、図３及び図４を参照して、本発明の実施形態２に対応する表示装置について説明する。図３に示す表示装置３００は、実施形態１で示した表示装置としての液晶プロジェクタ１００の構成に隣接画素間差分値算出部１１３を追加したものである。よって、隣接画素間差分値算出部１１３以外の構成要素についての説明はここでは省略する。隣接画素間差分値算出部１１３は、同一フレーム内で隣接する２つの画素の画素値の差分を算出し、その絶対値を求める処理部である。ＣＰＵ１１２はフレームの所定領域内に含まれる画素について算出された隣接画素間差分値を和算した結果を隣接画素間差分値の評価値として用いる。所定領域の大きさについては、例えばフレーム全体としてもよいし、フレームの任意の領域（例えば、中心を含む所定サイズの領域）としてもよい。
【００２８】
なお本実施形態でも、表示装置３００を液晶プロジェクタとして説明する。ただし、表示装置は液晶ディスプレイであってもよし、より一般的には、入力されたアナログ信号をデジタル信号に変換して表示する画像表示装置であればどんな装置であってもよい。
【００２９】
次に図４を参照して本実施形態におけるＣＰＵ１１２の制御フローについて説明する。Ｓ４０１からＳ４０５までの処理は、実施形態１の制御フローを示す図２のＳ２０１からＳ２０５と同様であるので説明は省略する。Ｓ４０５の後、処理は二つに分岐する。一方のＳ４０６では隣接画素間差分値算出部１１３にてＡＤ変換部１０３から出力されたデジタル映像信号の所定領域に含まれる画素について隣接画素間の差分値を算出し、当該所定領域について差分結果を和算する。ここでは、フレーム全体について算出した場合を考える。続くＳ４０７では、設定されたサンプリング位相値と差分結果の和算値とをＲＡＭ１０５へ退避する。
【００３０】
Ｓ４０５の後に分岐した他方の処理としてＳ４０８からＳ４１１までの処理が行われるが、ここでの処理は図２のＳ２０６からＳ２０９までと同様であるので説明を省略する。なお、Ｓ４０６及びＳ４０７と、Ｓ４０８からＳ４１１までの処理は同時に実行されるシーケンスであって、位相値１から３２まで、画面がリフレッシュされる毎（垂直同期信号が１つ入力される毎）に行われる。
【００３１】
以上のループ処理が終了した後、Ｓ４１２でＣＰＵ１１２は、Ｓ４０７で算出した隣接画素差分結果の妥当性を検証する。具体的に、ＣＰＵ１１２は、位相を１から３２まで変化させた際の隣接画素差分結果（フレーム全体）のうち、最大値と最小値との間に所定の閾値を越える差があるかどうかを判定する。もし所定の閾値を超える差がある場合（Ｓ４１２で「ＹＥＳ」）、Ｓ４１３でＣＰＵ１１２は、最大値を取ったサンプリング位相値を最適位相値とする。これとは逆に該最大値と該最小値との間に所定の閾値を超える差がない場合（Ｓ４１２で「Ｎｏ」）、Ｓ４１４でＣＰＵ１１２は、Ｓ４１１で退避したフレーム間差分値が最小となったサンプリング位相値を最適位相値とする。次に、Ｓ４１５においてＣＰＵ１１２は、Ｓ４１３またはＳ４１４で設定した最適サンプリング位相値をサンプリングクロック生成部１０４に設定する。
【００３２】
その後サンプリングクロック生成部１０４は、設定された最適クロック位相値に従って再度サンプリングクロックをＡＤ変換部１０３に供給する。ＡＤ変換部１０３は、最適クロック位相値に従うサンプリングクロックにより、入力アナログ映像信号をデジタル映像信号に変換して画像処理部１０７へ出力する。また、デジタル映像信号はＲＡＭ１０５にも出力され、フレーム間差分値算出部１０６が次のフレームのフレーム間差分値を算出するために保持される。
【００３３】
なお、本実施形態ではＳ４１２において隣接画素差分値の最大値と最小値とを用いたが、妥当性の検証方法はこれに限られない。例えば、位相を１から３２まで変化させた際の隣接画素差分値の分散を求め、分散が所定の分散閾値を超える場合は隣接画素差分値の結果を妥当とし、隣接差分結果を最大とした位相値を最適位相値と決定してもよい。この場合、分散が分散閾値以下の場合はフレーム間差分結果を最小とした位相値を最適位相値に決定してもよい。
【００３４】
以上、説明したように本実施形態では、フレーム間差分値に加えて、フレーム内での隣接画素間差分値を考慮してサンプリングクロックの最適位相値の設定を行うことができる。これにより、特に自然画などＣＡＤやコンピュータグラフィックといった映像信号と比較して隣接画素のコントラストが低い場合の映像データの場合においてもＡＤ変換をさらに良好に行うことが可能となる。
【００３５】
以上、本発明の実施形態について説明したが、本発明はこれらの実施形態に限定されず、その要旨の範囲内で種々の変形及び変更が可能である。
【００３６】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013217983.tif 000003
【図２】
2013217983.tif 000004
【図３】
2013217983.tif 000005
【図４】
2013217983.tif 000006
【図５】
2013217983.tif 000007
【図６】
2013217983.tif 000008